(57)【要約】　　　（修正有）【課題】積み重ね収納ができ、背もたれの高さ調整が自在となり、座板を高さ方向および前後方向へ移動自在に調整できる椅子を提供する。【解決手段】脚本体１と、この脚本体に支持される枠体２と、この枠体へ取り付けた座板３と、枠体へ取り付けた背もたれ体４とを備えさせた椅子Ａにあって、脚本体は、一方脚部材５と他方脚部材６とからなり、これら一方脚部材および他方脚部材は、床面などへ載置される略水平で前後方向へ位置する載置部材７，８と、この載置部材の長さ方向における後端部より延設させて上方へ立ち上がる立ち上がり部材９，１０と、載置部材に掛け渡して一方脚部材と他方脚部材との間隔を保持させる繋ぎ部材１１，１２とを有する。【選択図】　　図１
0003098245.tif 000002
【実用新案登録請求の範囲】
【請求項１】
脚本体と、この脚本体に支持される枠体と、この枠体へ取り付けた座板と、前記枠体へ取り付けた背もたれ体とを備えさせた椅子にあって、
前記脚本体は、一方脚部材と他方脚部材とからなり、これら一方脚部材および他方脚部材は、床面などへ載置される略水平で前後方向へ位置する載置部材と、この載置部材の長さ方向における後端部より延設させて上方へ立ち上がる立ち上がり部材と、前記載置部材に掛け渡して前記一方脚部材と他方脚部材との間隔を保持させる繋ぎ部材とを有し、
前記枠体を前記立ち上がり部材により片持ち支持させ、前記座板と前記載置部材との間に障害物をなくしたことを特徴とする椅子。
【請求項２】
脚本体と、この脚本体に支持される枠体と、この枠体へ取り付けた座板と、前記枠体へ取り付けた背もたれ体とを備えさせた椅子にあって、
前記脚本体は、一方脚部材と他方脚部材とからなり、これら一方脚部材および他方脚部材は、床面などへ載置される略水平の載置部材と、この載置部材の長さ方向における一端部より延設させて上方へ立ち上がる立ち上がり部材と、前記載置部材に掛け渡して前記一方脚部材と他方脚部材との間隔を保持させる繋ぎ部材とを有し、
前記枠体は、前記脚本体における一方脚部材と他方脚部材との間へ高さ調整手段により高さ調整自在に取り付けられて、前記一方脚部材および他方脚部材の立ち上がり部材の内側へ当接する背もたれ受け部材と、この背もたれ受け部材の下側より略水平に延設させた座板受け部材とからなり、
前記座板は、前記枠体における座板受け部材へ進退調整手段により進退自在に取り付けられ、
前記背もたれ体は、前記枠体における背もたれ受け部材へ上下調整手段により上下移動自在に取り付けられたことを特徴とする椅子。
【請求項３】
枠体とこの枠体に取り付けられた座板とは、前記枠体を支持する脚本体における一方脚部材および他方脚部材の間隔より狭い幅寸法を有し、複数の椅子を高さ方向へ重ねたとき、その上方の椅子の前記脚本体における一方脚部材と他方脚部材との間隔は、前記枠体とこの枠体に取り付けられた座板の幅寸法に納まるように設けたことを特徴とする請求項１または２記載の椅子。
【考案の詳細な説明】
【０００１】
【産業上の利用分野】
本考案は、スタッキング（積み重ね収納）ができて、かつ、背もたれの高さ調整が自在となり、更に、座板を高さ方向および前後方向へ移動自在に調整にすることができる椅子に関する。
【０００２】
【従来の技術】
従来、大量の椅子が必要となる、例えば、幼稚園や保育園などの園児が使用する、図８に示すような、椅子６０は、その非使用時にあっては、図９に示すように、スタッキング（積み重ね収納）することにより、園内での教室などが広く使えて限られたスペースの有効利用となると共に、園児の他の遊戯などにおいての安全性が図れるもので、このスタッキング（積み重ね収納）できる椅子６０が多く市場提供されている。
【０００３】
しかしながら、スタッキング（積み重ね収納）できるよう工夫されたこの椅子６０は、単に、高さ方向へ積み上げることができるという構成だけであるため、図９に示すように、重ね上げた上下の座板６１，６１との間に大きな空間部６２が形成されて、わずかな量の椅子６０で高さ方向が一杯となり、多数の椅子６０を積み重ね収納することができず、十分なスペースの有効利用とならないものであった。
【０００４】
また、この椅子６０は、座板６１の高さや該座板６１の前後方向への位置、あるいは背もたれ６３の高さの変更や調整ができないので、一年の間でも成長が激しい園児を保育・教育している幼稚園や保育園などにあっては、これら園児に対してこれら園児ごと適性姿勢が得られる椅子を提供することは甚だ難しいものであった。
【０００５】
【考案が解決しようとする課題】
本考案は、前記した問題点を解決するためになされたもので、脚本体と、この脚本体に支持される枠体と、この枠体へ取り付けた座板と、枠体へ取り付けた背もたれ体とを備えさせた椅子にあって、脚本体は、一方脚部材と他方脚部材とからなり、これら一方脚部材および他方脚部材は、床面などへ載置される略水平で前後方向へ位置する載置部材と、この載置部材の長さ方向における後端部より延設させて上方へ立ち上がる立ち上がり部材と、載置部材に掛け渡して一方脚部材と他方脚部材との間隔を保持させる繋ぎ部材とを有することにより、スタッキング（積み重ね収納）ができて、その収納スペースを有効利用することができると共に、背もたれと座板とが移動調整自在にして、成長盛りの子供ができるだけ長い期間継続使用することができる椅子を提供することを目的としている。
【０００６】
【課題を解決するための手段】
前記した目的を達成するための本考案の手段は、
脚本体と、この脚本体に支持される枠体と、この枠体へ取り付けた座板と、前記枠体へ取り付けた背もたれ体とを備えさせた椅子にあって、
前記脚本体は、一方脚部材と他方脚部材とからなり、これら一方脚部材および他方脚部材は、床面などへ載置される略水平で前後方向へ位置する載置部材と、この載置部材の長さ方向における後端部より延設させて上方へ立ち上がる立ち上がり部材と、前記載置部材に掛け渡して前記一方脚部材と他方脚部材との間隔を保持させる繋ぎ部材とを有し、
前記枠体を前記立ち上がり部材により片持ち支持させ、前記座板と前記載置部材との間に障害物をなくした椅子の構成にある。
【０００７】
そして、
脚本体と、この脚本体に支持される枠体と、この枠体へ取り付けた座板と、前記枠体へ取り付けた背もたれ体とを備えさせた椅子にあって、
前記脚本体は、一方脚部材と他方脚部材とからなり、これら一方脚部材および他方脚部材は、床面などへ載置される略水平の載置部材と、この載置部材の長さ方向における一端部より延設させて上方へ立ち上がる立ち上がり部材と、前記載置部材に掛け渡して前記一方脚部材と他方脚部材との間隔を保持させる繋ぎ部材とを有し、
前記枠体は、前記脚本体における一方脚部材と他方脚部材との間へ高さ調整手段により高さ調整自在に取り付けられて、前記一方脚部材および他方脚部材の立ち上がり部材の内側へ当接する背もたれ受け部材と、この背もたれ受け部材の下側より略水平に延設させた座板受け部材とからなり、
前記座板は、前記枠体における座板受け部材へ進退調整手段により進退自在に取り付けられ、
前記背もたれ体は、前記枠体における背もたれ受け部材へ上下調整手段により上下移動自在に取り付けられた椅子の構成にある。
【０００８】
また、
枠体とこの枠体に取り付けられた座板とは、前記枠体を支持する脚本体における一方脚部材および他方脚部材の間隔より狭い幅寸法を有し、複数の椅子を高さ方向へ重ねたとき、その上方の椅子の前記脚本体における一方脚部材と他方脚部材との間隔は、前記枠体とこの枠体に取り付けられた座板の幅寸法に納まるように設ける。
【０００９】
【実施例】
次に、本考案に関する椅子の実施の一例を図面に基づいて説明する。
図１および図３，図５〜図７においてＡは、本考案実施例を示す椅子で、子供用に適しており、更には、幼稚園や保育園などの園児への使用が適しているものであって、脚本体１と、この脚本体１に支持される枠体２と、この枠体２へ取り付けた座板３と、枠体２へ取り付けた背もたれ体４とを備えさせる。
【００１０】
前記した脚本体１は、木製素材を用いて曲木加工により一体的に形成してあって、座ったとき、その左右方向において左右一対の一方脚部材５と他方脚部材６とからなる。
これら一方脚部材５および他方脚部材６は、床面ｂなどへ載置される略水平で前後方向（座ったとき、その前後方向）へ位置する載置部材７，８と、この載置部材７，８の長さ方向（座ったとき、その前後方向）における後端部より延設させて上方へ立ち上がる立ち上がり部材９，１０と、載置部材７，８に掛け渡して一方脚部材５と他方脚部材６との間隔を保持させる繋ぎ部材１１，１２とを有する。
なお、載置部材７，８と立ち上がり部材９，１０との接合部は、円弧状に形成された円弧部１３，１４を有しているもので、その立ち上がり部材９，１０は、前後方向において前方に向かってせり出すように形成されることで、前記円弧部１３，１４側に重心があって、後記する座板３に荷重が掛かったときでも、椅子Ａ全体の安定性が得られる。
【００１１】
また、前記した繋ぎ部材１１は、一方脚部材５と他方脚部材６とにおける載置部材７，８の内側面にそれぞれその端部を固着してあり、一個または複数個を設ける。更に、繋ぎ部材１２は、一方脚部材５と他方脚部材６とにおける円弧部１３，１４の外側部にその外周部を固着してあり、該繋ぎ部材１２の下側部は、載置部材７，８の下側面と略一致させてあって、使用者が、後記する背もたれ体４等に対して後へもたれ掛かった際の後方への転倒を防止することができる。
【００１２】
前記した枠体２は、脚本体１と同効質などの木製素材を用いて曲木加工により一体的に形成してあって、脚本体１における一方脚部材５と他方脚部材６との間へ高さ調整手段１５，１６により高さ調整自在に取り付けられて、一方脚部材５および他方脚部材６の立ち上がり部材９，１０の内側へ当接する背もたれ受け部材１７，１８と、この背もたれ受け部材１７，１８の下側より略水平に延設させた座板受け部材１９，２０とからなる。
背もたれ受け部材１７，１８は、立ち上がり部材９，１０と略同一向き（傾斜）を有するもので、この立ち上がり部材９，１０に対して上下方向へ摺動自在となる。
なお、左右一対に形成された背もたれ受け部材１７，１８と座板受け部材１９，２０とからなる枠体２は、該座板受け部材１９，２０の間において、一個または複数個の接続部材４０により連結される。
【００１３】
前記した高さ調整手段１５，１６は、脚本体１と枠体２とを連結すると共に、該脚本体１と枠体２との取付位置を変えることで、図５に示すように、枠体２の高さ方向が、すなわち、座板３の高さがＨ１の範囲において調整される。その高さ調整手段１５，１６の構成は、例えば、ボルト２１とナット２２との締結により行われる。
該座板３の高さ調整にあって、脚本体１の立ち上がり部材９，１０には水平状の支持孔２３，２４を複数個穿設してあり、この支持孔２３，２４に対応して、背もたれ受け部材１７，１８には水平状の係止受孔２５，２６を複数個穿設してある。
また、脚本体１における立ち上がり部材９，１０の内側には、背もたれ受け部材１７，１８の係止受孔２５，２６へ係脱自在となる係止ピン２７，２８を突設してある。
【００１４】
なお、係止受孔２５，２６は支持孔２３，２４と同じ間隔で、しかも、支持孔２３，２４の穿設ピッチより倍の間隔で穿設されており、かつ、この係止受孔２５，２６を複数個設けた場合には、各孔ピッチを同間隔に穿設する。更に、係止ピン２７，２８は、少なくとも、支持孔２３，２４が二個設けられたときは、該支持孔２３，２４の中間位置に突設させる。
したがって、支持孔２３，２４の外側からナット２２を挿嵌し、係止受孔２５，２６の外側からボルト２１を挿嵌して前記ナット２２へ螺合させて緊締することで、脚本体１と枠体２とが所定高さにおいてこの高さ調整手段１５，１６により連結される。
【００１５】
前記した座板３は、枠体２における座板受け部材１９，２０へ進退調整手段２９，３０により、図６に示すように、Ｈ２の範囲において進退自在（前後方向に対して移動自在）に取り付けられている。
その進退調整手段２９，３０の構成は、例えば、ボルト３１とナット３２との締結により行われる。
該座板３の進退調整にあって、枠体２の座板受け部材１９，２０には該座板受け部材１９，２０の長さ方向に沿って略垂直状の長孔３３，３４を穿設してあり、この長孔３３，３４に対応して、座板３には略垂直状の止め孔３５，３６を穿設してある。
したがって、座板３の上側からナット３２を挿嵌し、枠体２の座板受け部材１９，２０における長孔３３，３４の下側からボルト３１を挿嵌して前記ナット３２へ螺合させて緊締することで、座板３と枠体２とが所定進退寸法においてこの進退調整手段２９，３０により連結される。
【００１６】
また、枠体２とこの枠体２に取り付けられた座板３とは、図３に示すように、枠体２を支持する脚本体１における一方脚部材５および他方脚部材６の間隔Ｌ１より狭い幅寸法Ｌ２（Ｌ１＞Ｌ２）を有し、図７に示すように、複数の椅子Ａ，Ａ，Ａ…を高さ方向へ重ねたとき、その上方の椅子Ａの脚本体１における一方脚部材５と他方脚部材６との間隔Ｌ１は、枠体２とこの枠体２に取り付けられた座板３の幅寸法Ｌ２に納まるように設ける。
【００１７】
前記した背もたれ体４は、枠体２における背もたれ受け部材１７，１８へ上下調整手段３７，３８により、図６に示すように、Ｈ３の範囲において上下移動自在に取り付けられている。
その上下調整手段３７，３８の構成は、例えば、ボルト４１とナット４２との締結により行われる。
該背もたれ体４の上下移動調整にあって、枠体２の背もたれ受け部材１７，１８には該背もたれ受け部材１７，１８の長さ方向（上下方向）に沿って略水平状の長孔４３，４４を穿設してあり、この長孔４３，４４に対応して、背もたれ体４には略水平状の止め孔４５，４６を穿設してある。
したがって、背もたれ受け部材１７，１８の後側からその長孔４３，４４へナット４２を挿嵌し、背もたれ体４の止め孔４５，４６の表側からボルト４１を挿嵌して前記ナット４２へ螺合させて緊締することで、背もたれ体４と枠体２とが所定上下寸法においてこの上下調整手段３７，３８により連結される。
【００１８】
また、枠体２を立ち上がり部材９，１０により片持ち支持させ、座板３と載置部材７，８との間（高さ方向における間）に障害物（例えば、前側の脚など）をなくした大きな空間部４７を形成させてある。
これにより、座板３に腰掛けて、足を該座板３の下方へ移動したとき、この足が障害物に当たることなく自由に動かすことができる。
【００１９】
したがって、前記のように構成される本考案に係る実施例の椅子Ａは、非使用時は、床ｂなどに載置した椅子Ａの座板３上側へ次の椅子Ａの座板３下側を乗せると、上部の椅子Ａは安定的に支持されるので、図７に示すように、多数の椅子Ａをスタッキング（積み重ね収納）することができて、スペースを有効利用することができる。
【００２０】
また、使用にあって、座板３の高さを調整するときは、高さ調整手段１５，１６により脚本体１に対して枠体２を上下させることで、使用するものの体格に合わせて、図５におけるＨ１の高さ範囲において座板３の位置を変更することができる。
【００２１】
座板３の前後方向を調整するときは、進退調整手段２９，３０により枠体２における座板受け部材１９，２０に対して座板３を前後方向へ進退させることで、使用するものの体格に合わせて、図６におけるＨ２の前後範囲において座板３の位置を変更することができる。
【００２２】
背もたれ体４の上下方向を調整するときは、上下調整手段３７，３８により脚体１における一方脚部材５および他方脚部材６の立ち上がり部材９，１０に対して、背もたれ体４を上下させることで、使用するものの体格に合わせて、図６におけるＨ３の上下範囲において背もたれ体４の位置を変更することができる。
【００２３】
【考案の効果】
前述のように構成される本考案は、多数の椅子を積み重ね収納することができて、十分なスペースの有効利用が図れる。
また、この椅子は、座板の高さや該座板の前後方向への位置、あるいは背もたれ体の高さを変更したり調整することができるので、成長が激しい子供などにあって、一つの椅子を適宜位置を変更しつつ継続使用することができて、これら子供に対して適性姿勢が得られる椅子を提供することができる。
【図面の簡単な説明】
【図１】本考案に関する椅子の一実施例を示す斜視図である。
【図２】図１における椅子を分解して示す斜視図である。
【図３】図１における椅子を示す正面図である。
【図４】図１における椅子の一方脚部材側の座板の高さ調整手段を示す要部の断面図である。
【図５】図１における椅子の座板の高さ調整手段を示す側面図である。
【図６】図１における椅子の座板の進退調整手段および背もたれ体の上下調整手段を示す一部を破断した側面図である。
【図７】図１における椅子のスタッキング状態を示す側面図である。
【図８】従来の椅子を示す斜視図である。
【図９】従来の椅子のスタッキング状態を示す斜視図である。
【符号の説明】
Ａ…椅子．ｂ…床．１…脚本体．２…枠体．３…座板．４…背もたれ体．５…一方脚部材．６…他方脚部材．７，８…載置部材．９，１０…立ち上がり部材．１１，１２…繋ぎ部材．１５，１６…高さ調整手段．１７，１８…背もたれ受け部材．１９，２０…座板受け部材．２９，３０…進退調整手段．３７，３８…上下調整手段．
【図１】
0003098245.tif 000003
【図２】
0003098245.tif 000004
【図３】
0003098245.tif 000005
【図４】
0003098245.tif 000006
【図５】
0003098245.tif 000007
【図６】
0003098245.tif 000008
【図７】
0003098245.tif 000009
【図８】
0003098245.tif 000010
【図９】
0003098245.tif 000011